(57)【特許請求の範囲】
【請求項１】
内部に雌ねじ部を有する長ナット状の埋め込み部材と、該埋め込み部材の雌ねじ部に螺合するボルト状固定部材とを備え、
該ボルト状固定部材が下地材に対し略直角方向に突出し、かつ前記埋め込み部材は下地材内へ埋設固着される固定具と、
一対の側部上側に水平方向へ延出する切り込み部が形成され、前記下地材に固着された固定具の軸方向両側に、前記一対の側部が配置される二つ折り状保持具と、
該保持具の前記切り込み部へ収納され、係止される前記下地材と平行方向へ延出する補強材あるいは棒材と、
を有し、
前記先端側が突出したボルト状固定部材を囲む様前記保持具が設置され、前記切り込み部へ補強材あるいは棒材が挿入された後、前記ボルト状固定部材を前記埋め込み部材の雌ねじ部へ螺合することにより、前記補強材あるいは棒材を挟着保持したことを特徴とする補強材あるいは棒材の取り付け装置。
【請求項２】
内部に雌ねじ部を有する長ナット状の埋め込み部材と、該埋め込み部材の雌ねじ部に螺合するボルト状固定部材とを備え、
該ボルト状固定部材が下地材に対し略直角方向に突出し、かつ前記埋め込み部材は下地材内へ埋設固着される固定具と、
側片の上部側に水平方向へ延出する切り込み部が形成され、前記下地材に固着された固定具の軸方向両側に両側片が配置される二つ折り状保持具と、
該保持具の前記切り込み部へ収納係止される前記下地材と平行方向へ延出する補強材あるいは棒材と、を有し、
先端側が突出したボルト状固定部材を囲む様保持具が設置され、前記切り込み部へ補強材あるいは棒材が挿入された後、前記ボルト状固定部材を前記埋め込み部材の雌ねじ部へ螺合することにより、前記補強材あるいは棒材を切り込み部の上下側側片で挟着保持したことを特徴とする補強材あるいは棒材の取り付け装置。
【請求項３】
内部に雌ねじ部を有する長ナット状の埋め込み部材と、該埋め込み部材の雌ねじ部に螺合するボルト状固定部材とを備え、
該ボルト状固定部材が下地材に対し略直角方向に突出し、かつ前記埋め込み部材は下地材内へ埋設固着される固定具と、
一対の側部上側に水平方向へ延出する切り込み部が形成され、前記下地材に固着された固定具の軸方向両側に前記両側部が配置される二つ折り状保持具と、
該保持具の前記切り込み部へ収納係止される前記下地材と平行方向へ延出する補強材あるいは棒材と、を有し、
前記先端側が突出したボルト状固定部材を囲む様保持具が設置され、前記切り込み部へ補強材あるいは棒材が挿入された後、前記ボルト状固定部材を前記埋め込み部材の雌ねじ部へ螺合することにより、前記補強材あるいは棒材を切り込み部の上下側で挟着保持したことを特徴とする補強材あるいは棒材の取り付け装置。
【請求項４】
前記保持具は棒材を折り曲げて枠体として形成したことを特徴とする請求項３記載の補強材あるいは棒材の取り付け装置。
【請求項５】
下地材に対し略直角方向に先端部を突出させて固着される固定具と、
一対の側部上側に水平方向へ延出する切り込み部が形成され、前記下地材に固着された固定具の軸方向両側に前記一対の側部が配置される二つ折り状保持具と、
該保持具の前記切り込み部へ収納され、係止される前記下地材と平行方向へ延出する補強材あるいは棒材と、を有し、
前記下地材に固定される固定具を囲む様前記保持具が設置され、前記切り込み部へ補強材あるいは棒材が挿入された後、前記固定具の頭部を殴打して固定具埋設部を下地材内へ埋設し、前記固定部材の頭部で前記保持部材を押圧することにより、前記補強材あるいは棒材を挟着保持したことを特徴とする補強材あるいは棒材の取り付け装置。
【請求項６】
前記固定具及び保持具は、鋼材、プラスチック、硬質ゴムあるいは木材で形成されていることを特徴とする請求項１、請求項２、請求項３、請求項４または請求項５記載の補強材あるいは棒材の取り付け装置。
【発明の詳細な説明】
【０００１】
【発明の属する技術分野】
本発明は、たとえばコンクリート等の下地材に所定の間隔を保持して棒状鉄筋あるいは下地用のメッシュ状ラス金物等の補強材あるいは棒材を効率よく固定する補強材あるいは棒材の取り付け装置に関するものである。
【従来の技術】
従来、たとえばコンクリートなどの下地材上に新たにメッシュ筋や鉄筋等を使用したいわゆる補強材あるいは棒材を固定し、その上に吹き付け型の吸音材を吹き付ける等の処置を行う場合、前記メッシュ筋や鉄筋の固定は、前記下地材に固定したアンカー部材に前記メッシュ筋や鉄筋を溶接等により固定するものとしていた。
【０００２】
しかし、当該メッシュ筋や鉄筋の固定作業は比較的煩雑で固定のための作業時間を多くとってしまい、また固定についても不安の残るものとなっていた。すなわち、溶接によった場合、前記メッシュ筋や鉄筋が溶融してしまい、ひいては断面欠損が生じてしまうおそれがあるとの不安があった。
【０００３】
よって現場等ではメッシュ筋や鉄筋の固定作業が容易で固定のための作業時間を短縮でき、取り付けるべきメッシュ筋や鉄筋が溶融することなく、断面欠損が生じない、しかも精度よく確実に固定できる補強材あるいは棒材の取り付け装置の提案が要請されていた。
【発明が解決しようとする課題】
かくして本発明は前記従来の課題に対処するために創案されたものであって、メッシュ筋あるいは鉄筋などの棒状補強材あるいは棒材を精度よく確実に設置することが出来、しかも前記棒状補強材あるいは棒材の取り付けが容易で工期の短縮及びコストダウンがはかれ、また溶接工などの特殊工が不必要となり、かつ溶接の際に生じる棒状補強材あるいは棒材の溶融による断面欠損がなく、取り付けの信頼性が高い補強材あるいは棒材の取り付け装置を提供することを目的とするものである。
【課題を解決するための手段】
本発明による補強材あるいは棒材の取り付け装置は、
内部に雌ねじ部を有する長ナット状の埋め込み部材と、該埋め込み部材の雌ねじ部に螺合するボルト状固定部材とを備え、
該ボルト状固定部材が下地材に対し略直角方向に突出し、かつ前記埋め込み部材は下地材内へ埋設固着される固定具と、
一対の側部上側に水平方向へ延出する切り込み部が形成され、前記下地材に固着された固定具の軸方向両側に、前記一対の側部が配置される二つ折り状保持具と、
該保持具の前記切り込み部へ収納され、係止される前記下地材と平行方向へ延出する補強材あるいは棒材と、
を有し、
前記先端側が突出したボルト状固定部材を囲む様前記保持具が設置され、前記切り込み部へ補強材あるいは棒材が挿入された後、前記ボルト状固定部材を前記埋め込み部材の雌ねじ部へ螺合することにより、前記補強材あるいは棒材を挟着保持したことを特徴とし、
または、
内部に雌ねじ部を有する長ナット状の埋め込み部材と、該埋め込み部材の雌ねじ部に螺合するボルト状固定部材とを備え、
該ボルト状固定部材が下地材に対し略直角方向に突出し、かつ前記埋め込み部材は下地材内へ埋設固着される固定具と、
側片の上部側に水平方向へ延出する切り込み部が形成され、前記下地材に固着された固定具の軸方向両側に両側片が配置される二つ折り状保持具と、
該保持具の前記切り込み部へ収納係止される前記下地材と平行方向へ延出する補強材あるいは棒材と、を有し、
先端側が突出したボルト状固定部材を囲む様保持具が設置され、前記切り込み部へ補強材あるいは棒材が挿入された後、前記ボルト状固定部材を前記埋め込み部材の雌ねじ部へ螺合することにより、前記補強材あるいは棒材を切り込み部の上下側側片で挟着保持したことを特徴とし、
または、
内部に雌ねじ部を有する長ナット状の埋め込み部材と、該埋め込み部材の雌ねじ部に螺合するボルト状固定部材とを備え、
該ボルト状固定部材が下地材に対し略直角方向に突出し、かつ前記埋め込み部材は下地材内へ埋設固着される固定具と、
一対の側部上側に水平方向へ延出する切り込み部が形成され、前記下地材に固着された固定具の軸方向両側に前記両側部が配置される二つ折り状保持具と、
該保持具の前記切り込み部へ収納係止される前記下地材と平行方向へ延出する補強材あるいは棒材と、を有し、
前記先端側が突出したボルト状固定部材を囲む様保持具が設置され、前記切り込み部へ補強材あるいは棒材が挿入された後、前記ボルト状固定部材を前記埋め込み部材の雌ねじ部へ螺合することにより、前記補強材あるいは棒材を切り込み部の上下側で挟着保持したことを特徴とし、
または、
前記保持具は棒材を折り曲げて枠体として形成したことを特徴とし、
または、
下地材に対し略直角方向に先端部を突出させて固着される固定具と、
一対の側部上側に水平方向へ延出する切り込み部が形成され、前記下地材に固着された固定具の軸方向両側に前記一対の側部が配置される二つ折り状保持具と、
該保持具の前記切り込み部へ収納され、係止される前記下地材と平行方向へ延出する補強材あるいは棒材と、を有し、
前記下地材に固定される固定具を囲む様前記保持具が設置され、前記切り込み部へ補強材あるいは棒材が挿入された後、前記固定具の頭部を殴打して固定具埋設部を下地材内へ埋設し、前記固定部材の頭部で前記保持部材を押圧することにより、前記補強材あるいは棒材を挟着保持したことを特徴とし、
または、
前記固定具及び保持具は、鋼材、プラスチック、硬質ゴムあるいは木材で形成されていることを特徴とするものである、
【発明の実施の形態】
以下、本発明による補強材あるいは棒材の取り付け装置を図に示す実施例に基づいて説明する。
本発明による補強材あるいは棒材の取り付け装置は、固定具１と保持具２と保持具２に係止される補強材あるいは棒材３とを有して構成されている。
【０００４】
ここで固定具１は内部に雌ねじ部を有する長ナット状の埋め込み部材４と、該埋め込み部材４の前記雌ねじ部に螺合するボルト状固定部材５とを備えている。
【０００５】
そして、該固定具１における埋め込み部材４はコンクリート等で形成されている下地材６に対して略直角方向に埋設され、下地材６内に固着される。具体的にはハンマー等の殴打具により埋め込み部材４の先端を打ち込み、下地材６内に埋め込むこととなる。
【０００６】
次に保持具２は図１，図２から理解されるように、断面Ｕ字状に二つ折りされ、一対の隣り合う側片７，７を有している。
【０００７】
この一対の側片７上部側には二つ折り部の基部８側から逆方向の先端側に向かって水平方向に延出する切り込み部９が形成されている。
【０００８】
しかして、図１、図２から理解されるように、コンクリート等の下地材６から所定の間隔をあけて配置されたメッシュ筋あるいは鉄筋などの補強材あるいは棒材３が前記保持具２の切り込み部９内に収納される。
【０００９】
その後、ボルト状固定部材５を埋め込み部材４の雌ねじ部に螺合すると共に、ボルト頭１０で前記切り込み部９の間隔を狭める様に押さえつけ、もって補強材あるいは棒材３、３を前記下地材６から所定の間隔を有して挟着係止するものとしている。
【００１０】
ここで、本発明において固定具１及び保持具２についてその材質については何ら限定されるものではなく、鋼材、プラスチック、硬質ゴムあるいは木材であっても何ら構わない。
【００１１】
また、保持具２の形状についても図３乃至図６に示すように、二つ折りした部分がＵ字状に湾曲したものでも、あるいは三角形状に折曲したものでも、あるいは四角形状に折曲したものでも、あるいは台形状に折曲したものでも構わないものである。
【００１２】
さらに、切り込み部９はおもに、二つ折りの基部８側から切り込みを入れ、先端側まで延出して形成してあるが、逆に先端側から切り込みを入れたものでも構わないものである。
【００１３】
次に、他の実施例に基づく保持具２について説明する。
【００１４】
前述した実施例での保持具２は板状部材で形成したもので、たとえば長方形状の板状部材を長手方向中間位置から二つ折りにし、ついで切り込み部９を形成して完成させたものであるが、これに限らず、保持具２をいわゆる長尺の棒状部材で形成しても構わない。
【００１５】
すなわち、たとえば金属製の棒状部材を図８乃至図１５に示すように枠体状に折り曲げて保持部２を形成しても構わない。
【００１６】
しかして、基本形は図８乃至図１０に示すように構成されるが上部を補強して図１１乃至図１３に示すようにしても構わないし、保持具２の足元側の補強を目的に図１４乃至図１６の様に折り曲げ形成しても構わない。
【００１７】
さらに、棒状部材の断面形状は丸棒状でも構わないし、三角棒状、四角棒状等方形棒状でも構わないものである。
なお、図１７に固定具１の他の実施例を示す。
【００１８】
本実施例において、固定具１は固定部材５と埋め込み部材４とを一体に形成してある。
【００１９】
そして、本実施例における固定具１の下地材６への固着方法は、図１７から理解されるように、固定部材５のボルト頭１０を例えばハンマー等の殴打具で殴打し、もって埋め込み部材４の部分を下地材６内へ埋設して固着するとともに、前記ボルト頭１０によって側片７の切り込み部９の上下側側片７、７部分を押圧し、もって補強材あるいは棒材３を前記切り込み部９内に挟着保持可能としたものである。
【００２０】
しかして、このタイプの固定具１であると、いわゆる釘部材のように単に固定部材５のボルト頭１０を殴打するだけで、固定具１を下地材６内に埋設、固着できるが、ボルト頭５での側片７の押さえつけ程度の割合を調節するのが比較的困難となる。
【００２１】
しかし、当初に説明した実施例による固定具１であれば、ボルト状固定部材５はねじ込み式なので、ねじ込みに時間がかかるが、ボルト頭５での側片７の押さえつけ程度の割合調節は容易に行えるものとなる。
【００２２】
しかして、本発明による取り付け装置での補強材あるいは棒材の取り付けは、下地材上において複数箇所で行なわれるが、前記のねじ込み式固定具１及び固定部材５と埋め込み部材４とを一体に形成した固定具１とを混在して使用することができ、例えば重要箇所においてはねじ込み式固定具１を使用し、その他迅速に取り付けを行わなければならない箇所については固定部材５と埋め込み部材４とを一体に形成した固定具１を使用する等の使い分けが可能となる。
【発明の効果】
かくして本発明は以上の構成よりなる。
【００２３】
そして、本発明による補強材あるいは棒材の取り付け装置であれば、メッシュ筋あるいは鉄筋などの棒状補強材あるいは棒材を精度よく確実に設置することが出来、しかも前記棒状補強材あるいは棒材の取り付けが容易で工期の短縮及びコストダウンがはかれ、さらには溶接工などの特殊工が不必要となり、かつ溶接の際に生じる棒状補強材あるいは棒材の溶融による断面欠損がなく、取り付けの信頼性が高いとの優れた効果を奏する。
【図面の簡単な説明】
【図１】  本発明による補強材あるいは棒材の取り付け装置の構成を説明する構成説明図（その１）である。
【図２】  本発明による補強材あるいは棒材の取り付け装置の構成を説明する構成説明図（その２）である。
【図３】  保持具の形状を説明する形状説明図（その１）である。
【図４】  保持具の形状を説明する形状説明図（その２）である。
【図５】  保持具の形状を説明する形状説明図（その３）である。
【図６】  保持具の形状を説明する形状説明図（その４）である。
【図７】  保持具の形状を説明する形状説明図（その５）である。
【図８】  他の実施例による保持具を説明する構成説明図（その１）である。
【図９】  他の実施例による保持具を説明する構成説明図（その２）である。
【図１０】  他の実施例による保持具を説明する構成説明図（その３）である。
【図１１】  他の実施例による保持具を説明する構成説明図（その４）である。
【図１２】  他の実施例による保持具を説明する構成説明図（その５）である。
【図１３】  他の実施例による保持具を説明する構成説明図（その６）である。
【図１４】  他の実施例による保持具を説明する構成説明図（その７）である。
【図１５】  他の実施例による保持具を説明する構成説明図（その８）である。
【図１６】  他の実施例による保持具を説明する構成説明図（その９）である。
【図１７】  本発明による補強材あるいは棒材の取り付け装置の他の実施例による構成を説明する構成説明図である。
【符号の説明】
１      固定具
２      保持具
３      補強材あるいは棒材
４      埋め込み部材
５      ボルト状固定部材
６      下地材
７      側片
８      基部
９      切り込み部
１０      ボルト頭
【図１】
0003720296.tif 000002
【図２】
0003720296.tif 000003
【図３】
0003720296.tif 000004
【図４】
0003720296.tif 000005
【図５】
0003720296.tif 000006
【図６】
0003720296.tif 000007
【図７】
0003720296.tif 000008
【図８】
0003720296.tif 000009
【図９】
0003720296.tif 000010
【図１０】
0003720296.tif 000011
【図１１】
0003720296.tif 000012
【図１２】
0003720296.tif 000013
【図１３】
0003720296.tif 000014
【図１４】
0003720296.tif 000015
【図１５】
0003720296.tif 000016
【図１６】
0003720296.tif 000017
【図１７】
0003720296.tif 000018